(57)【要約】【課題】収納物を隔離して収納可能な収納体および化粧台を提供する。【解決手段】収納体１は、第１囲い部２と、第１支持部３と、隔壁４と、第２支持部５とを備える。第１囲い部２は、第１収納物８１が収納される第１収納空間１１を水平方向において囲う。第１支持部３は、第１収納空間１１の下端部に設けられて第１収納空間１１に収納される第１収納物８１を支持する。隔壁４は、第１囲い部２の一部に設けられ、空間を、その一方の側に位置する第１収納空間１１と他方の側に位置する第２収納空間１２とに隔絶する。第２支持部５は、第２収納空間１２に設けられて第２収納空間１２に収納される第２収納物８２を支持する。第２支持部５は、第１支持部３よりも上方に位置する。【選択図】図１
2017185049.tif 000002
【特許請求の範囲】
【請求項１】
第１収納物が収納される第１収納空間を水平方向において囲う第１囲い部と、
前記第１収納空間の下端部に設けられて前記第１収納空間に収納される前記第１収納物を支持する第１支持部と、
前記第１囲い部の一部に設けられ、空間を、その一方の側に位置する前記第１収納空間と他方の側に位置する第２収納空間とに隔絶する隔壁と、
前記第２収納空間に設けられて前記第２収納空間に収納される第２収納物を支持する第２支持部と、を備え、
前記第２支持部は、前記第１支持部よりも上方に位置することを特徴とする収納体。
【請求項２】
前記第２収納空間の下端は前記第１収納空間の下端よりも上方に位置し、
前記隔壁は、前記第１囲い部のうち前記第２収納空間に対応する部分に設けられており、
前記第１囲い部の前記隔壁の下側の部分に通気部が設けられていることを特徴とする請求項１記載の収納体。
【請求項３】
床から上方に離間して設けられるカウンターと、
前記カウンターの下側に設けられるキャビネットと、
請求項１または２記載の収納体と、を備える化粧台であって、
前記キャビネットは、内部に引出し収納空間を有するキャビネット本体と、前記引出し収納空間の前開口を通して前方に引出し可能にかつ後方に押込み可能に収納される引出しと、を有し、
前記引出しに前記収納体が設けられていることを特徴とする化粧台。
【発明の詳細な説明】
【技術分野】
【０００１】
本発明は、収納体および化粧台に関するものである。
【背景技術】
【０００２】
特許文献１には、化粧台が開示されている。特許文献１記載の化粧台は、カウンターと、カウンターの下側に設けられるキャビネットとを備えている。キャビネットは、引出しを備えている。
【先行技術文献】
【特許文献】
【０００３】
【特許文献１】特開平９−２８５３４６号公報
【発明の概要】
【発明が解決しようとする課題】
【０００４】
特許文献１に記載された化粧台にあっては、たとえば、ヘアーアイロンのような収納物を引出しに収納する場合、コードとヘアーアイロンの高温部とが同じ空間に収納されて、コードが加熱される惧れがある。このため、収納物を隔離して収納可能な収納体および化粧台が望まれていた。
【０００５】
本発明の目的は、収納物を隔離して収納可能な収納体および化粧台を提供することである。
【課題を解決するための手段】
【０００６】
本発明に係る一態様の収納体は、第１囲い部と、第１支持部と、隔壁と、第２支持部とを備える。前記第１囲い部は、第１収納物が収納される第１収納空間を水平方向において囲う。前記第１支持部は、前記第１収納空間の下端部に設けられて前記第１収納空間に収納される前記第１収納物を支持する。前記隔壁は、前記第１囲い部の一部に設けられ、空間を、その一方の側に位置する前記第１収納空間と他方の側に位置する第２収納空間とに隔絶する。前記第２支持部は、前記第２収納空間に設けられて前記第２収納空間に収納される第２収納物を支持する。前記第２支持部は、前記第１支持部よりも上方に位置する。
【０００７】
本発明に係る一態様の化粧台は、床から上方に離間して設けられるカウンターと、前記カウンターの下側に設けられるキャビネットと、上記収納体と、を備える。前記キャビネットは、内部に引出し収納空間を有するキャビネット本体と、前記引出し収納空間の前開口を通して前方に引出し可能にかつ後方に押込み可能に収納される引出しと、を有する。前記引出しに前記収納体が設けられている。
【発明の効果】
【０００８】
本発明の収納体によれば、収納物を隔離して収納可能である。
【０００９】
本発明の化粧台によれば、収納物を隔離して収納可能である。
【図面の簡単な説明】
【００１０】
【図１】図１Ａは、本発明に係る第１実施形態の収納体の平面図である。図１Ｂは、同上の収納体の側面図である。図１Ｃは、同上の収納体の断面図である。
【図２】図２は、同上の収納体にヘアーアイロンを収納した状態の斜視図である。
【図３】図３は、収納物としてのヘアーアイロンの斜視図である。
【図４】図４は、第１実施形態の化粧台の全体斜視図である。
【図５】図５は、同上の化粧台の引出しを引出した状態の要部斜視図である。
【図６】図６は、第２実施形態の収納体にヘアーアイロンを収納した状態の斜視図である。
【発明を実施するための形態】
【００１１】
本発明は、収納体および化粧台に関し、詳しくは、第１囲い部と第１支持部と隔壁と第２支持部とを備える収納体、および、この収納体とカウンターとキャビネットとを備える化粧台に関するものである。
【００１２】
第１実施形態の収納体について、図１〜図３に基いて説明する。
【００１３】
収納体１は、上方に開放される収納空間を有し、収納物を上方より挿入可能とするものである。図１、図２に示すように、収納体１は、第１囲い部２と、第１支持部３と、隔壁４と、第２支持部５とを備える。
【００１４】
第１囲い部２は、第１収納物８１が収納される第１収納空間１１を水平方向において囲うものである。第１実施形態では、第１囲い部２は、前板２１、左右の側板２２および背板２３を備えている。ここで、前後左右について図１に示すように定義する。
【００１５】
図３に示すように、第１収納物８１としては、第１実施形態ではいわゆるヘアーアイロン８の本体（全体からコードを除いた部分）が想定されている。第１収納物８１としてのヘアーアイロン８の本体は、長手方向の長さ２０ｃｍ〜４０ｃｍ、外径が４ｃｍ〜８ｃｍ程度と想定されている。
【００１６】
第１収納空間１１は、第１収納物８１として想定されている物品に応じて、大きさおよび形状が決められる。第１実施形態では上記のようなヘアーアイロン８の本体が第１収納物８１として想定されているため、幅（左右長さ）が８ｃｍ〜１５ｃｍ、高さ（上下長さ）が２０ｃｍ〜４０ｃｍに決められている。また、第１収納空間１１の奥行き（前後長さ）は、２０ｃｍ〜４０ｃｍに決められており、ヘアーアイロン８の本体が奥行き方向に複数個収納可能となっている。第１収納空間１１の大きさおよび形状に合わせて、第１囲い部２（前板２１、側板２２、背板２３）の大きさおよび形状が決められる。
【００１７】
第１支持部３は、第１収納空間１１の下端部に設けられて第１収納空間１１に収納される第１収納物８１を支持するものである。第１支持部３は、第１囲い部２の下端部に設けられる。第１実施形態では、第１支持部３は、底板３１を備えている。底板３１は、幅が８ｃｍ〜１５ｃｍ、奥行きが２０ｃｍ〜４０ｃｍに決められている。第１支持部３の大きさおよび形状は、第１収納空間１１の大きさおよび形状に合わせて決められる。
【００１８】
第１囲い部２および第１支持部３により、上方に開放される筐体が構成される。筐体により、収納体１の主要部が構成される。このような筐体は、一体に構成されてもよい。
【００１９】
第１実施形態では、第１収納空間１１を仕切る第１仕切り１３が設けられている。第１仕切り１３は、第１収納空間１１を前後方向に三分割する板状をしたもので、二枚設けられている。第１仕切り１３については後述する。
【００２０】
隔壁４は、第１囲い部２の水平方向（周方向）における一部に設けられる。隔壁４は、第１囲い部２の一部を構成し、空間を、その一方の側に位置する第１収納空間１１と他方の側に位置する第２収納空間１２とに隔絶するものである。隔壁４は、板状をした部材により構成されるもので、後述する。
【００２１】
第２収納空間１２は、隔壁４を介して第１収納空間１１に隣接して位置する空間である。第２収納空間１２には、第２収納物８２が収納されることが想定されている。第２収納物８２としては、第１実施形態ではいわゆるヘアーアイロン８のコードが想定されている。第２収納物８２としてのヘアーアイロン８のコードは、長さ５０ｃｍ〜１５０ｃｍで、先端にプラグが設けられている。
【００２２】
第２収納空間１２は、第２収納物８２として想定されている物品に応じて、大きさおよび形状が決められる。第２実施形態では上記のようなヘアーアイロン８のコードが第２収納物８２として想定されているため、幅が６ｃｍ〜１０ｃｍ、高さが１０ｃｍ〜２０ｃｍ、奥行きが２０ｃｍ〜４０ｃｍに決められている。
【００２３】
第１実施形態では、第２収納空間１２を水平方向において囲う第２囲い部６が設けられている。第２囲い部６は、上述した隔壁４に加え、前板６１、右側の側板６２および背板６３を備え、上方に開放される筐体状をしている。第２収納空間１２の大きさおよび形状に合わせて、第２囲い部６（隔壁４、前板６１、側板６２、背板６３）の大きさおよび形状が決められる。
【００２４】
隔壁４は、第１囲い部２および第２囲い部６を兼用するものである。隔壁４は、第１囲い部２のうち、第２収納空間１２に対応する部分（第２収納空間１２に面する部分）に設けられている。第１囲い部２の隔壁４の下側の部分には、通気部２４が設けられている。
【００２５】
通気部２４は、隔壁４を貫通して、第１収納空間１１と第２収納空間１２とを通じさせる部分である。第１実施形態では、網状をした部材により構成されている。
【００２６】
第２支持部５は、第２収納空間１２に設けられて第２収納物８２を支持するものである。第１実施形態では、第２支持部５は、底板５１を備えている。第２支持部５は、第２囲い部６の下端部に設けられる。第２支持部５を構成する底板５１は、幅が６ｃｍ〜１０ｃｍ、奥行きが２０ｃｍ〜４０ｃｍに決められている。第２支持部５の大きさおよび形状は、第２収納空間１２の大きさおよび形状に合わせて決められる。
【００２７】
第２支持部５は、第１支持部３よりも上方に位置する。第１収納空間１１の上下長さは、第２収納空間１２の上下長さよりも長い。第１収納空間１１と第２収納空間１２は、上端の高さが同じに形成されているため、第２収納空間１２の下端は第１収納空間１１の下端よりも上方に位置する。この結果、第２収納空間１２の下端に設けられる第２支持部５は、第１収納空間１１の下端に設けられる第１支持部３よりも上方に位置している。
【００２８】
第１実施形態では、第２収納空間１２を仕切る第２仕切り１４が設けられている。第２仕切り１４は、第２収納空間１２を前後方向に三分割する板状をしたもので、二枚設けられている。
【００２９】
第１実施形態では、第１仕切り１３および第２仕切り１４は、一体的に設けられる。すなわち、逆Ｕ字状をした取付部１５の一方の側に第１仕切り１３が固定され、他方の側に第２仕切り１４が固定されている。この取付部１５が隔壁４の上端部に取り付けられて、第１仕切り１３および第２仕切り１４が設けられる。
【００３０】
使用者が、ヘアーアイロン８からなる収納物を上述した収納体１に収納する場合について説明する。
【００３１】
図３に示すように、ヘアーアイロン８の本体は、長手方向の一端（基端）側に把持部８３を有するとともに、他端（先端）側に毛髪を加熱するための高温部８４を有する。ヘアーアイロン８の本体の一端側からコードが伸びている。
【００３２】
使用者は、毛髪を加熱してヘアーアイロン８を使い終わった後、コードの先端のプラグを抜く。使用者は、図２に示すように、ヘアーアイロン８の本体（第１収納物８１）の把持部８３を掴んで、ヘアーアイロン８の本体の先端を第１収納空間１１に上方より挿入し、第１支持部３に置く。このとき、使用者は、コード（第２収納物８２）については、第１収納空間１１に挿入せずにヘアーアイロン８の本体と分けて第２収納空間１２に挿入し、第２支持部５を構成する底板５１に置く。なお、コードの基端部はヘアーアイロン８の本体と同じ第１収納空間１１に位置するが、コードの残りの大部分が第１収納空間１１に位置すればよい。これにより、ヘアーアイロン８の収納が完了する。
【００３３】
仮に、コードがヘアーアイロン８の本体と同じ空間に収納されると、ヘアーアイロン８の本体の高温部８４の熱によりコードが加熱される惧れがある。これに対して、第１実施形態にあっては、ヘアーアイロン８の本体（第１収納物８１）が収納される第１収納空間１１とコード（第２収納物８２）が収納される第２収納空間１２とが隔壁４により隔絶される。これにより、コードがヘアーアイロン８の本体の高温部８４により、放射や熱伝導や対流により加熱されるのが抑えられる。
【００３４】
また、第１収納空間１１に収納されているヘアーアイロン８の本体にあっては、先端に有する高温部８４が第１支持部３の近傍に位置することとなる。そして、第１収納空間１１に収納されているコードは、第２支持部５に位置するが、第１実施形態にあっては、第２支持部５が第１支持部３よりも上方に位置するため、コードが高温部８４よりも上方に位置することとなる。このように、第２支持部５と第１支持部３の高さが異なることにより、高温部８４からコードへの熱伝導がより一層抑えられる。
【００３５】
また、通気部２４が設けられていることにより、第１収納空間１１に高温部８４からの熱がこもりにくくなる。
【００３６】
次に、第１実施形態の化粧台７について、図４〜図５に基いて説明する。
【００３７】
図４、図５に示すように、化粧台７は、カウンター７１と、カウンター７１の下側に設けられる、キャビネット本体７３および引出し７４を有するキャビネット７２と、収納体１と、を備える。
【００３８】
カウンター７１は、左右に長い平面視矩形状をした木質板で構成される。カウンター７１は、その上面が、化粧台７が設置される床から所定の高さに位置するように設けられる。第１実施形態では、カウンター７１の上面に、鏡７５が固定されている。
【００３９】
カウンター７１の下面は、床から上方に離間している。カウンター７１の下面と床との間に、キャビネット７２と脚入れ空間７６とが平面視において並ぶように設けられる。
【００４０】
キャビネット本体７３は、前開口を有する矩形箱状をしたものである。
【００４１】
キャビネット本体７３は、カウンター７１の左側の端部近傍を支持している。キャビネット本体７３の上端部は、カウンター７１に固定される。カウンター７１の右側の端部には、カウンター７１を支持する脚部７７が設けられる。第１実施形態では、キャビネット本体７３および脚部７７により、カウンター７１の荷重を受けている。
【００４２】
脚部７７は、第１実施形態では、側面視において矩形状をした板である。脚部７７の上端部は、カウンター７１に固定される。カウンター７１、キャビネット本体７３および脚部７７は、一体となっている。
【００４３】
キャビネット本体７３には、引出し７４が前開口を通して前方に引出し可能にかつ後方に押込み可能に収納される。
【００４４】
引出し７４として、上下寸法が長い深引出し７８と、上下寸法が短い浅引出し７９の少なくとも二種類が存在する。
【００４５】
深引出し７８および浅引出し７９の占有空間は、その上下寸法において、深引出し７８の方が浅引出し７９よりも長くなるように決められる。
【００４６】
第１実施形態では、深引出し７８の占有空間および浅引出し７９の占有空間は、キャビネット本体７３内の引出し収納空間内において左右に並ぶものである。浅引出し７９の占有空間は、上下に二つ等しく並んでいる。
【００４７】
深引出し７８に、図２に示す収納体１が設けられる。
【００４８】
第１実施形態の化粧台７では、深引出し７８内空間（すなわち収納体１）に収納される収納物として、ヘアーアイロン８等の長尺物が想定されている。このような長尺の収納物が、長手方向を上下に向けて深引出し７８に入れられる。
【００４９】
第１実施形態では、浅引出し７９内空間に収納される収納物として、マニキュア、口紅等（例えば色違いの複数のマニキュア、口紅等）、主にドライヤーよりも小さな収納物が想定されている。
【００５０】
このような化粧台７の引出し７４（特に深引出し７８）に収納体１が挿入されるだけで、ヘアーアイロン８等の長尺物が収納されやすくなる。
【００５１】
次に、第２実施形態の収納体について、図６に基いて説明する。なお、第２実施形態の収納体は、大部分において第１実施形態の収納体１と同じであるため、同じ構成については同符号の末尾に「Ａ」を付した符号を用いて説明を省略し、主に異なる構成について説明する。
【００５２】
第１実施形態では、収納体１が第２囲い部６を備えるのに対して、第２実施形態では、収納体１Ａが第２囲い部６を備えない。そして、第２支持部５Ａが異なる。
【００５３】
第２支持部５Ａは、巻き付け部５２Ａを備える。巻き付け部５２Ａは、隔壁４の第２収納空間１２Ａ側の面に設けられ、第２収納物８２Ａとしてのコードが巻き付けられる。巻き付け部５２Ａの先端には、隔壁４の第２収納空間１２Ａ側の面に平行に脱落防止部５３Ａが突出するように設けられる。脱落防止部５３Ａにより、巻き付け部５２Ａに巻き付けられた第２収納物８２Ａとしてのコードが脱落するのが抑えられる。
【００５４】
以下、第１実施形態、第２実施形態における変形例について説明する。
【００５５】
第１実施形態では、第１囲い部２は、水平方向の全周において第１収納空間１１を囲うものであるが、周方向の一部が欠落していてもよい。すなわち、第１囲い部２が、第１収納物８１が第１収納空間１１から脱落するのを抑えることができればよい。
【００５６】
第１囲い部２、第１支持部３、隔壁４、第２囲い部６、第２支持部５、第１仕切り１３および第２仕切り１４は、それぞれ、樹脂、木材または木質材、金属等により形成可能であり、材質は限定されない。
【００５７】
第１実施形態では、第１囲い部２は、前板２１、左右の側板２２および背板２３を備えているが、これらが板状をしたものでなくてもよい。たとえば、前板２１、左右の側板２２または背板２３の一部または全部が、網状、棒状等であってもよい。すなわち、第１囲い部２が、収納物が第１収納空間１１から脱落するのを抑えることができればよく、形状は特に限定されない。
【００５８】
第１収納物８１の大きさ、形状、重量は限定されない。また、第１収納物８１として想定される物品は特に限定されず、たとえばドライヤーの本体や、その他の物品であってもよい。
【００５９】
第１収納空間１１の大きさおよび形状は特に限定されない。
【００６０】
第１収納物８１として想定されていない物品が第１収納空間１１に収納されてももちろんよい。
【００６１】
第１実施形態では、第１支持部３は、底板３１を備えているが、板状をしたものでなくてもよい。たとえば、底板３１のかわりに、網状、棒状等をした部材を備えてもよい。すなわち、第１支持部３が、収納物を支持する支持部（第１支持部）として機能すればよく、形態は特に限定されない。
【００６２】
第１仕切り１３の大きさ、形状は特に限定されない。第１仕切り１３は、板状をしたものでなくてもよい。たとえば、第１仕切り１３が、網状、棒状等であってもよい。第１仕切り１３の個数は限定されない。また、第１仕切り１３は設けられなくてもよい。
【００６３】
隔壁４が、その一部に、第１収納空間１１と第２収納空間１２とを通じさせる貫通孔を有したり、一部が網状をしてもよいが、貫通孔等を有しないのが好ましい。また、隔壁４の熱伝導性が低いことが好ましく、内部にグラスウールや空気層、真空層等を備えた断熱部材で形成されてもよい。
【００６４】
第２収納物８２の大きさ、形状、重量は限定されない。また、第２収納物８２として想定される物品は特に限定されず、たとえばドライヤーのコードや、コード以外の物品であってもよい。
【００６５】
第２収納空間１２の大きさおよび形状は特に限定されない。第２収納空間１２の奥行きが第１収納空間１１の奥行きと異なってもよい。また、第２収納物８２として想定されていない物品が第２収納空間１２に収納されてももちろんよい。
【００６６】
第１実施形態では、第２囲い部６および隔壁４が、水平方向の全周において第２収納空間１２を囲うものであるが、周方向の一部が欠落していてもよい。すなわち、第２囲い部６が、第２収納物８２が第２収納空間１２から脱落するのを抑えることができればよい。
【００６７】
第１実施形態では、第２囲い部６は、前板６１、側板６２および背板６３を備えているが、これらが板状をしたものでなくてもよい。たとえば、前板６１、側板６２または背板６３の一部または全部が、網状、棒状等であってもよい。すなわち、第２囲い部６が、第２収納物８２が第２収納空間１２から脱落するのを抑えることができればよく、形状は特に限定されない。また、第２囲い部６は、設けられなくてもよい。
【００６８】
第１実施形態では、第２支持部５は、底板５１を備えているが、底板５１のかわりに、たとえば網状、棒状をしたものであってもよい。すなわち、第２支持部５が、収納物を支持すればよく、形態は特に限定されない。
【００６９】
第２仕切り１４の大きさ、形状は特に限定されない。第２仕切り１４は、板状をしたものでなくてもよい。たとえば、第２仕切り１４が、網状、棒状等であってもよい。第２仕切り１４の個数は限定されない。また、第２仕切り１４は設けられなくてもよい。また、第２仕切り１４は、大きさ、形状、個数等が第１仕切り１３と異なってもよい。また、第２仕切り１４は、第１仕切り１３と独立して移動可能であってもよい。
【００７０】
カウンター７１の大きさ、すなわち、幅寸法、奥行き寸法は特に限定されない。カウンター７１は、本実施形態では平面視矩形状（長方形状または正方形状）をしているが、他の形状であってもよく、特に限定されない。カウンター７１の厚みは特に限定されず、また、カウンター７１の厚みが均一であってもよいし、不均一であってもよい。
【００７１】
カウンター７１の材質は、無垢の木材、樹脂（人造大理石を含む）、天然大理石、金属、ほうろう等、特に限定されない。
【００７２】
カウンター７１の上面に設けられる鏡７５は、その大きさ（幅寸法、上下寸法、厚み）正面視における形状、枚数等は限定されない。また、鏡７５がカウンター７１に対して可動となるか否かは限定されない。
【００７３】
鏡７５は、カウンター７１の上面に、ねじあるいは凹凸の嵌め合いによって着脱可能に固定されてもよい。鏡７５のカウンター７１への固定方法は、ねじあるいは凹凸の嵌め合いに限定されず、また、着脱可能に構成されなくてもよい。また、化粧台７が鏡７５を備えなくてもよい。
【００７４】
キャビネット本体７３の大きさ、すなわち、幅寸法、奥行き寸法、上下寸法は特に限定されない。キャビネット本体７３の奥行き寸法が、カウンター７１の奥行き寸法よりも長くてもよく、特に限定されない。平面視において、キャビネット本体７３の一部がカウンター７１からはみ出してもよく、特に限定されない。キャビネット本体７３は、本実施形態では平面視矩形状をしているが、他の形状であってもよく、特に限定されない。
【００７５】
キャビネット本体７３の材質は、無垢の木材、木質材、樹脂、金属等、特に限定されない。
【００７６】
キャビネット本体７３は、カウンター７１に固定されるが、カウンター７１に対して着脱可能に構成されてもよい。すなわち、ねじあるいは凹凸の嵌め合いによって、キャビネット本体７３がカウンター７１に対して着脱可能に固定されてもよい。
【００７７】
キャビネット本体７３は、カウンター７１を支持するものでなくてもよく、この場合には、カウンター７１を支持する、キャビネット本体７３とは別の脚部等からなる支持部が設けられる。
【００７８】
脚部７７の大きさ、すなわち、奥行き寸法、幅寸法は特に限定されない。脚部７７の奥行き寸法が、カウンター７１の奥行き寸法よりも長くてもよく、特に限定されない。平面視において、脚部７７の一部がカウンター７１からはみ出してもよい。脚部７７は、本実施形態では側面視矩形状の板であるが、柱状等の他の形状であってもよく、特に限定されない。
【００７９】
脚部７７の材質は、無垢の木材、木質材、樹脂、金属等、特に限定されない。
【００８０】
脚部７７は、カウンター７１に固定されるが、着脱可能に構成されてもよい。すなわち、ねじあるいは凹凸の嵌め合いによって、脚部７７がカウンター７１に対して着脱可能に固定されてもよい。
【００８１】
脚部７７のかわりに、別のキャビネットが設けられてもよい。この別のキャビネットは、キャビネット７２と同様のものでもよいし、異なるものでもよい。
【００８２】
実施形態と各変形例とで説明した構成は、適宜組み合わせて適用可能である。
【００８３】
以上述べた実施形態および変形例から明らかなように、本発明に係る第１の形態の収納体１は、第１囲い部２と、第１支持部３と、隔壁４と、第２支持部５とを備える。第１囲い部２は、第１収納物８１が収納される第１収納空間１１を水平方向において囲う。第１支持部３は、第１収納空間１１の下端部に設けられて第１収納空間１１に収納される第１収納物８１を支持する。隔壁４は、第１囲い部２の一部に設けられ、空間を、その一方の側に位置する第１収納空間１１と他方の側に位置する第２収納空間１２とに隔絶する。第２支持部５は、第２収納空間１２に設けられて第２収納空間１２に収納される第２収納物８２を支持する。第２支持部５は、第１支持部３よりも上方に位置する。
【００８４】
この第１の形態の収納体１によれば、第１収納物８１が収納される第１収納空間１１と第２収納物８２が収納される第２収納空間１２とが隔壁４により隔絶され、第１収納物８１と第２収納物８２の一方が放射や熱伝導や対流により他方を加熱するのが抑えられる。
【００８５】
また、第２支持部５が第１支持部３よりも上方に位置するため、一方が熱伝導により他方を加熱するのがより一層抑えられる。
【００８６】
本発明に係る第２の態様の収納体１は付加的なものであり、第１の態様との組み合わせにより実現される。第２の態様の収納体１は、第２収納空間１２の下端は第１収納空間１１の下端よりも上方に位置する。隔壁４は、第１囲い部２のうち第２収納空間１２に対応する部分に設けられている。第１囲い部２の隔壁４の下側の部分に通気部２４が設けられている。
【００８７】
この第２の形態の収納体１によれば、第１収納空間１１に高温部８４からの熱がこもりにくくなる。
【００８８】
本発明に係る第１の形態の化粧台７は、第１の態様または第２の態様との組み合わせにより実現される。第１の形態の化粧台７は、カウンター７１と、キャビネット７２と、第１の態様または第２の態様の収納体１とを備える。カウンター７１は、床から上方に離間して設けられる。キャビネット７２は、カウンター７１の下側に設けられ、内部に引出し収納空間を有するキャビネット本体７３と、引出し収納空間の前開口を通して前方に引出し可能にかつ後方に押込み可能に収納される引出し７４と、を有する。引出し７４に第１の態様または第２の態様の収納体１が設けられている。
【００８９】
この第１の形態の化粧台７によれば、引出し７４に収納体１が挿入されるだけで、ヘアーアイロン８等の長尺物が収納されやすくなる。
【符号の説明】
【００９０】
１    収納体
１１  第１収納空間
１２  第２収納空間
２    第１囲い部
２４  通気部
３    第１支持部
４    隔壁
５    第２支持部
７    化粧台
７１  カウンター
７２  キャビネット
７３  キャビネット本体
７４  引出し
８１  第１収納物
８２  第２収納物
【図１】
2017185049.tif 000003
【図２】
2017185049.tif 000004
【図３】
2017185049.tif 000005
【図４】
2017185049.tif 000006
【図５】
2017185049.tif 000007
【図６】
2017185049.tif 000008